(57)【要約】【課題】繰り返しの仮止め施工を行なってもその仮止め機能が損なわれないものを提供すること。【解決手段】天井下地を構成する野縁に固定されて配線を案内できる金属製の細長の薄板から成る配線固定金具11である。野縁に接合する部分の少なくとも一つの領域に接着及び剥離が可能な弱接着力を有する接着層25を設け、これにより野縁の側面に仮止めできる。この固定金具11は平面視細長略長方形形状を有し、その両長辺の側縁部に起立折曲部15を形成し、野縁の側面部に適合させる。接着層25を配線固定金具11の短辺に平行に且つ帯状に複数設ける。金具11の両長辺側にこれら長辺に沿ってそれぞれ接着層を設けてもよい。金具11の一方の短辺側で、この短辺に平行する仮想線が長辺と交わる部位に切欠部29を複数対形成し、これらの切欠部29を切断用の目印とした。【選択図】図２
2012122270.tif 000002
【特許請求の範囲】
【請求項１】
天井下地を構成する野縁等に掛け渡すように下側から固定されて配線を案内することができる金属製の細長の薄板部材から成り、その適宜位置には１又は２以上の配線用の挿通穴が設けられ、またその適宜位置には螺子固定用の螺子挿通穴が複数設けられた配線固定金具において、
野縁等に接合する部分の少なくとも一つの領域に接着及び剥離が可能な弱接着力を有する接着層を設け、これにより野縁等の側面に仮止めできるようにしたことを特徴とする配線固定金具。
【請求項２】
上記配線固定金具が平面視細長略長方形形状を有し、その配線固定金具の両長辺の側縁部に起立折曲部を形成して、これらの起立折曲部が野縁等の側面部に適合することができ、
更に、接着層が配線固定金具の短辺に平行に且つ帯状に１又は２以上設けたことを特徴とする請求項１に記載の配線固定金具。
【請求項３】
上記配線固定金具が平面視細長略長方形形状を有し、その両長辺側に、これら長辺に沿ってそれぞれ接着層を設けたことを特徴とする請求項１に記載の配線固定金具。
【請求項４】
上記配線固定金具の少なくとも一方の短辺側で、この短辺に平行する仮想線が長辺と交わる部位に切欠部を１対又は２対以上形成し、これらの切欠部を切断用の目印としたことを特徴とする請求項１乃至３の何れか１項に記載の配線固定金具。
【発明の詳細な説明】
【技術分野】
【０００１】
本発明は、天井下地を構成する野縁等に固定して通電用の配線や配管を挿通し、案内し、固定するための配線固定金具の改良に関するものである。
【背景技術】
【０００２】
従来より建造物の天井下地の構造としては、躯体から吊り金具を用いて野縁受を配設し、この野縁受に野縁を固定して配設し、この野縁に天井板材を配設固定して形成されたものを一例として挙げることができる。
この天井構造の施工に際して、電気配線も行う必要があり、この電気配線は配電盤を介して各部屋に仕切壁や天井部内に配線されて行われるものである。
本発明は、この天井部から例えば仕切壁内への配線に際して使用される配線固定金具に関するものである。
【０００３】
図４及び図５は、従来の配線固定金具の各種のタイプを図示した斜め上方から見た斜視図であり、図６は、従来の配線固定金具の取り付け状態を示す説明図である。
図４（Ａ）に図示した従来の配線固定金具５０は、細長の平面視略長方形の金属製薄板部材から成り、その略中央部には、配線を挿通させるための挿通穴５８が１つ穿設され、その対向する長辺のそれぞれには横断面略逆Ｖ字形状の起立折曲部５５が設けられ、一方の短辺にも起立折曲部５６が設けられ、この起立折曲部５６と平行に起立折曲部５７が設けられたものである。
図中６０は、螺子止め用の螺子挿通穴を示している。この螺子挿通穴６０は長孔に形成されている。
【０００４】
図４（Ｂ）に図示された配線固定金具５１も基本的には上記金具５０と同様の構成であるが、その長手方向の長さが長く形成され、配線の挿通穴５８を３つ列設させ、それぞれの挿通穴５８が相互に連続した状態に設けられたものである。
図４（Ｃ）に図示された配線固定金具５２も基本的には上記従来例とその基本構成は同様であるが、更にその長手方向の長さを長く形成して、配線の挿通穴５８をそれぞれ独立に７個列設して設けたものである。
【０００５】
図５（Ａ）に図示した配線固定金具５３においては、起立折曲部を設けていない点で、上記従来の金具と相違している。
図５（Ｂ）に図示した配線固定金具５４は、上記従来の配線固定金具５３と同様の構成を有しているが、その短辺側の長さがより長く形成されたものである。
これらの配線固定金具５３、５４においては、上記した通り、起立折曲部を設けていない関係上、仮止め機能は全く保有していないものである。
【０００６】
図６（Ａ）においては、上記図４（Ａ）に図示した配線固定金具５０を平行に配設された野縁Ｎ１、Ｎ２に取り付けた状態を示している。
この図から判る通り、この配線固定金具５０では、その起立折曲部５６、５７が野縁Ｎ１の両側面を挟持して、仮止め機能を発揮する。
配線の挿通穴５８には、フレキシブルチューブからなる配線用スリーブ管６４を介して複数本の配線６５が挿通されている。
【０００７】
図６（Ｂ）においては、上記図４（Ｃ）に図示した配線固定金具５２を野縁Ｎ１、Ｎ２に取り付けた状態を図示している。
この図においても、その起立折曲部５６、５７（起立折曲部５６は図には現れていない）が野縁Ｎ２の両側面を挟持して仮止め機能を発揮する。
配線の挿通穴５８には、上記同様に配線用スリーブ管６４を介して複数本の配線６５が挿通され固定されるのである。
【０００８】
このように、従来の配線固定金具においては、その対向する長辺のそれぞれに起立折曲部を設け、また、短辺の一方にも起立折曲部を設け、この起立折曲部に平行に更に起立折曲部を設けてこれら両起立折曲部の有する弾性を利用して、野縁の対向する両側面部を挟持できるようにしているのである。
即ち、これらの起立折曲部の挟持によって、この配線固定金具の仮止め機能を付加させているのである。
【発明の概要】
【発明が解決しようとする課題】
【０００９】
上記のように、従来の配線固定金具にあっては、仮止め機能として起立折曲部の挟持によって行っていたが、一度仮止めを行って、その位置で螺子止めが行われるのであれば問題は生じないのであるが、仮に、この仮止め位置を変更する場合には、この仮止めされた金具を取り外す必要があり、再度この金具を変更した位置に仮止めを行なおうとすると、その起立折曲部の弾性変形が完全には元に戻らず、仮止め機能が消滅してしまうという問題があった。
また、上記仮止め機能の消失の他にも、不陸等による天井や壁等の施工品質の低下という問題も招いてしまうのである。
【００１０】
この仮止めを更にもう一度行い、繰り返すならば、その仮止め機能は消滅してしまうというのが現実であった。
そこで、本発明においては、この仮止め機能が、仮に何回かの繰り返しの仮止め施工を行なったとしてもその仮止め機能が損なわれないもの、或いは消滅しないようなものを提供することがその課題となる。
【課題を解決するための手段】
【００１１】
上記課題を解決するために、本発明の第１のものは、天井下地を構成する野縁等に掛け渡すように下側から固定されて配線を案内することができる金属製の細長の薄板部材から成り、その適宜位置には１又は２以上の配線用の挿通穴が設けられ、またその適宜位置には螺子固定用の螺子挿通穴が複数設けられた配線固定金具において、野縁等に接合する部分の少なくとも一つの領域に接着及び剥離が可能な弱接着力を有する接着層を設け、これにより野縁等の側面に仮止めできるようにしたことを特徴とする配線固定金具である。
【００１２】
本発明の第２のものは、上記第１の発明において、上記配線固定金具が平面視細長略長方形形状を有し、その配線固定金具の両長辺の側縁部に起立折曲部を形成して、これらの起立折曲部の両端部が野縁等の側面部に当接することができ、更に、接着層が配線固定金具の短辺に平行に且つ帯状に１又は２以上設けたことを特徴とする配線固定金具である。
【００１３】
本発明の第３のものは、上記第１の発明において、上記配線固定金具が平面視細長略長方形形状を有し、その両長辺側に、これら長辺に沿ってそれぞれ接着層を設けたことを特徴とする配線固定金具である。
【００１４】
本発明の第４のものは、上記第１乃至第３の何れかの発明において、上記配線固定金具の少なくとも一方の短辺側で、この短辺に平行する仮想線が長辺と交わる部位に切欠部を１又は２以上形成し、これらの切欠部を切断用の目印としたことを特徴とする配線固定金具である。
【発明の効果】
【００１５】
本発明の第１のものにおいては、電気配線の束を例えば間仕切壁等へ容易に案内し、固定することができる配線固定金具であって、この金具を天井下地構造の野縁等に固定するに際して、野縁に接合する部分に接着及び剥離が可能な弱接着力を有する接着層を設けているために、野縁に下方から金具を接合して、仮接着させることができ、仮止めを行なうことができる。
この仮止め位置を変更する際は、この接着層を剥離して行なうことができ、これを複数回接合し直すことも可能となる。
取り付け位置が決定された後は、螺子挿通穴を利用して、電動回転工具を用いて螺子止め作業を行なうことができるのである。
【００１６】
本発明の第２のものにおいては、平面視細長略長方形状を有する配線固定金具の長辺のそれぞれに起立折曲部を設けたために、これらの起立折曲部が野縁の間に位置して位置決めの役目を担い、また、短い間隔で平行に配設された野縁間に平行に配置する際には、これらの起立折曲部が両側の野縁の側面に適合して、仮止め機能の補助を行なうことができる。
【００１７】
本発明の第３のものにおいては、本発明に係る配線固定金具を野縁と平行に配設する際に、接着層が両長辺側にこれら長辺に添って設けられているために、平行に配設されている野縁間に適切に仮止めを行なうことができる。
この第３の発明では起立折曲部を設けていないが、適宜従来の形態の起立折曲部を付加して実施することも可能である。
【００１８】
本発明の第４のものにおいては、配線固定金具の少なくとも一方の短辺側で、この短辺に平行する仮想線が長辺と交わる部位に切欠部を一対又は二対以上形成したため、これらの切欠部を切断用の目印として使用することができ、これらのうちの一対の切欠部を選択して、設置場所の状況に適合させて、差し金等を使用せずに、切断工具を用いて簡単に切断することができることとなる。
【図面の簡単な説明】
【００１９】
【図１】本発明の配線固定金具に係る第１の実施形態を図示しており、その（Ａ）が平面図、その（Ｂ）が正面図、その（Ｃ）が右側面図である。
【図２】本発明の配線固定金具に係る第２の実施形態を図示しており、その（Ａ）が平面図、その（Ｂ）が正面図、その（Ｃ）が右側面図である。
【図３】本発明に係る配線固定金具の第３の実施形態を示す説明図であり、その施工状態を示したものである。
【図４】従来の配線固定金具の斜視図であって、その３つのタイプを示している。
【図５】従来の配線固定金具の斜視図であって、その他の２つのタイプを示している。
【図６】従来の配線固定金具の２つのタイプの取り付け状態を示す説明図である。
【発明を実施するための形態】
【００２０】
以下、添付の図面と共に本発明の実施形態について説明する。
図１は、本発明の配線固定金具に係る第１の実施形態を図示しており、その（Ａ）が平面図、その（Ｂ）が正面図、その（Ｃ）が右側面図である。
本発明に係る配線固定金具１０は、金属製薄板から成る細長い平面視略長方形形状を有しており、その略中央部に配線や配管を挿通できる挿通穴１８が設けられ、対向する長辺の略中央部には、起立折曲部１５、１５がそれぞれ設けられている。
【００２１】
両側の短辺側にはそれぞれ螺子挿通穴２０が設けられており、この配線固定金具１０を野縁等の天井下地の構造部材に螺着される。
この螺子挿通穴２０は、平面視長円形の長孔に形成されている。
起立折曲部１５は、図１（Ｃ）から判る通り、配線固定金具１０のそれぞれの長辺から斜め方向に起立する起立部１５ｋと、この起立部１５ｋから下方に（図では右方向に）折曲する折曲部１５ｓとからなり、その起立折曲部１５に横方向（図では上下方向）からの負荷に対して反撥可能に弾性を付与している。
【００２２】
そして、本発明の特徴部分である接着層２５（図中斜線で表示した部分）が一方の短辺側の所定領域に設けられている。
この接着層２５に塗布される接着剤としては、水性接着剤を使用し、その接着力も、接着と剥離を繰り返し行う事ができる程度の弱い接着力を有するものを使用している。
本実施形態においては、高耐熱・速乾型水性接着剤を使用しており、例えば、水性アクリルエマルジョン型接着剤を使用している。
【００２３】
この接着剤は、水を溶媒としているため、有毒ガス等の発生がなく、その接着力も、接合後約数十秒で、相互に適切に接着できるものであり、必要に応じて、容易に剥離することができる程度の弱い接着力を有するものである。
この接着層２５は、図１（Ａ）に斜線で表示した通り、上記接着剤を野縁の一側面と接合する部分の所定領域に直接塗布して設けることができる。
或いは、この接着層は、両面接着テープを用いて実施することもできる。
その際は、一方の面にのみ弱い接着力を有する上記水性接着剤を設けておけばよく、他方の面には、通常の強力な接着剤を塗布し、この面を配線固定金具１０の適宜部分に接着すればよいのである。
【００２４】
また、この接着層２５は、野縁との接合面の全体に設けることも出来るし、反対側の短辺側の野縁との接合面にも設けて実施することも自由である。
尚、接着層２５の表面に剥離紙を予め設けておくことも自由である。
また、この実施形態では、両長辺に設けた起立折曲部１５、１５は、仮止め機能は有しておらず、野縁同士の間に嵌まり込み、位置決めの機能を有するものである。但し、野縁の間隔が狭く、これら野縁に平行に配設する際には、これらの起立折曲部１５、１５は仮止め機能を発揮できる。
【００２５】
図２は、本発明の配線固定金具に係る第２の実施形態を図示しており、その（Ａ）が平面図、その（Ｂ）が正面図、その（Ｃ）が右側面図である。
この第２実施形態においても、基本的な構成は上記第１実施形態と同様である。
即ち、この実施形態に係る配線固定金具１１も、金属製薄板から成る細長い平面視略長方形形状を有しており、その略中央部には配線や配管を挿通できる挿通穴１８が７個列設され、対向する長辺の略中央部には、起立折曲部１５、１５がそれぞれ設けられている。
この第２実施形態では、長手方向の長さと配線の挿通穴１８の数とが上記第１実施形態と相違し、また両端部の螺子挿通穴２０が設けられた部分の長手方向長さ及び螺子挿通穴２０の数が相違している。
【００２６】
更に、両側の短辺側には、その幅方向（長手方向と直交する方向）に所定幅をもって接着層が２列ずつ設けられている点でも前記第１実施形態と相違する。
複数適宜位置に設けた螺子挿通穴２０は、平面視長円形の長孔に形成されている点は前記第１実施形態と同一である。
また、起立折曲部１５の構成も前記第１実施形態と同様である。
【００２７】
このように、接着層２５を複数領域（エリア）に、即ち、短辺側の両側に２列ずつ帯状に設けたのは、野縁の配設間隔に対応できるようにしたものである。
そして、この第２実施形態では、両側の短辺に平行な仮想線Ｋを想定して、この仮想線Ｋと長辺が交わる部位に切欠部２９を一対ずつ、複数列に形成している。
【００２８】
この一対の切欠部２９は、中央に向かってＶ字形状に設けられ、この切欠部２９を利用して差し金等を使用せずに、切断工具を用いて簡単に切断することができ、野縁の間隔に容易に適合させることができるのである。
このように、本発明に係る配線固定金具１１は、設置されている野縁の間隔に適合させて、適宜その長さを切断して、使用することができ、しかも、この切断して使用することを考慮して、短辺と平行した複数エリアに接着層２５を設けたものである。
【００２９】
図３は、本発明に係る配線固定金具の第３の実施形態を示す説明図であり、その施工状態を示したものである。
この第３の実施形態に係る配線固定金具１２は起立折曲部を設けていないタイプのものである。
【００３０】
この配線固定金具１２は、金属製薄板から成る細長い平面視略長方形形状のものからなり、その短辺が比較的長く形成され、平行に配設された野縁とその長辺を平行に接合するものである。
両側の長辺には、螺子挿通穴２０が複数列設され、その中央部長手方向には配線用の挿通穴１８が１０個列設され、それぞれの長辺の中央部には２個ずつ切欠部２９が設けられている。
【００３１】
そして、接着層２５は、対向する長辺の側縁部に沿って２箇所ずつ上面側に設けられている。
螺子挿通穴２０及び切欠部２９の構成は、上記第２実施形態と同じである。接着層２５に塗布する接着剤、或いは接着テープも前記実施形態と同様に実施することができる。
このように、接着層２５を設ける部位は、短辺と平行ばかりでなく、長辺に平行に又は長辺に沿って設けることもできるのである。
【００３２】
従って、本発明において、その特徴部分である接着層２５を設ける位置は、種々自由に設計変更することができ、要するに野縁等の天井下地構成部材と接合するエリアの少なくとも１箇所に所定範囲設けることにより、その効果を発揮することができるものである。
尚、本発明に係る配線固定金具１２をその接着層２５によって野縁Ｍに仮止めした後は、通常の手順で螺子止めして固定することができる。
【００３３】
以上、本発明の実施形態について説明したが、以下の通りその形態を種々変更することができる。
本発明に係る配線固定金具の平面視形状及び大きさは自由に設計することができ、必ずしも略長方形でなくとも実施可能である。要するに、野縁間に配設できる形状であれば良い。
【００３４】
野縁間に配設する方向も野縁と直角に又は平行に、何れの方向にも配設可能である。
尚、平面視略長方形というのは、必ずしも正確に長方形でなくともよく、多少の凹凸があってもよい意味である。起立折曲部を設けている長辺部分で、必ずしも他の長辺部分と直線的に形成される必要がないからである。
【００３５】
配線の挿通穴の大きさ、形状、数も、必要に応じて全く自由に設計することができる。
起立折曲部の断面形状、大きさも、適宜必要に応じて設計することが出来る。即ち、横断面略Ｖ字形状に限らず、切起し部とこの切起し部から折り返して適宜弾性が付与されればよいものである。
【００３６】
以上、本発明は、簡易な構成ではあるが、その接着層の存在により、野縁等の天井下地構成部材に仮止めを簡単に行なうことができ、しかもこの仮止めは繰り返し行なうことができ、天井構造部材への従来の作業員の上向きの取り付け作業労力を簡略化し、また省力化にも寄与できる極めて大きな効果を発揮する配線固定金具を提供することができたものである。
【符号の説明】
【００３７】
１０、１１、１２  配線固定金具
１５  起立折曲部
１８  挿通穴（配線の）
２０  螺子挿通穴
２５  接着層
２９  切欠部
Ｋ  仮想線
Ｎ  野縁
【図１】
2012122270.tif 000003
【図２】
2012122270.tif 000004
【図３】
2012122270.tif 000005
【図４】
2012122270.tif 000006
【図５】
2012122270.tif 000007
【図６】
2012122270.tif 000008